(57)【要約】【課題】長い衝撃経路を獲得し、好ましいリベット撃ちの衝撃を達成し、体積を増大させないリベット締結装置を提供する。【解決手段】内部に空間と作動槽を有する本体と、本体の外部に接設されるステープルボックスと、ステープルボックス前端に連結され、作動槽外側に対応し、マンドレル槽を有するノズルと、本体の空間中に設置され、回転可能な出力軸を有するモーターと、出力軸上に連結され、第一帯動部を形成しているメインギアと、メインギアと噛合し、第二帯動部を形成しているサブギアと、マンドレル、滑動素子、弾性素子とからなり、モーターを動力源とし、モーターの出力軸が回転する時、メインギアがサブギアと噛合して伝動し、滑動素子前端はマンドレルと連接し、滑動素子は各ギアを帯動して、リベット撃ち位置まで退移させ、ノズルから長い衝撃経路を有す二段経路を累加する方式のリベット締結装置である。【選択図】  図  １【実用新案登録請求の範囲】
【請求項１】
リベット締結装置であって、
内部に空間と作動槽を有する本体と、
本体の外部に接設されるステープルボックスと、
前記ステープルボックス前端に連結され、前記作動槽外側に対応し、マンドレル槽を有するノズルと、
前記本体の空間中に設置され、回転可能な出力軸を有する伝動機構と、
前記出力軸上に連結され、第一帯動部を形成しているメインギアと、
前記メインギアと噛合し、第二帯動部を形成しているサブギアと、
マンドレル、滑動素子、弾性素子、からなるリベット締結ユニットと、
からなり、
前記マンドレルは、前記ノズルの前記マンドレル槽と前記作動槽間で移動し、前記滑動素子前端は前記マンドレル一端と連接し、且つ、前記滑動素子は第一位置、第二位置、第三位置間で往復移動し、また、前記滑動素子は前記第一帯動部と接触する第一抵接部、前記第二帯動部と接触する第二抵接部を有し、前記弾性素子は推力を提供して前記滑動素子後端に作用させ、前記滑動素子を前記ノズルの方向に移動させ、
前記構造により、回転する前記メインギアは、前記第一位置に位置する前記滑動素子を前記第二位置に推動し、更に、回転する前記サブギアにより、前記第二位置に位置する前記滑動素子を前記第三位置に推動し、且つ、前記滑動素子が前記第三位置に達する時、前記弾性素子は前記滑動素子をノズルの方向に移動させることを特徴とするリベット締結装置。
【請求項２】
更に、前記本体内部に設置され、前記作動槽の前記ノズルに近接するところに位置するバッファブロックを有することを特徴とする請求項１に記載のリベット締結装置。
【請求項３】
前記メインギアと前記サブギア正面は、凸棒を有して、それぞれ、前記第一帯動部と前記第二帯動部を形成し、前記滑動素子はブロック状で、且つ、側面の上下位置にそれぞれ、上抵ブロックと下抵ブロックを突出して、前記第一抵部と前記第二抵部を形成していることを特徴とする請求項２に記載のリベット締結装置。
【請求項４】
前記本体内のケースに、前記作動槽の軸方向に沿って凹溝が設置され、前記滑動素子の頂、底面に、それぞれ、前記凹溝に対応する長方形ブロックを有して、前記滑動素子を直線方向にだけ移動させることを特徴とする請求項３に記載のリベット締結装置。
【請求項５】
前記伝動機構はモーターで、前記出力軸前端は、前記作動槽に延伸して、前記メインギアと接設されることを特徴とする請求項４に記載のリベット締結装置。
【請求項６】
前記弾性素子はバネで、前記バネの一端は、前記滑動素子後端に作用し、もう一端は前記本体上に作用することを特徴とする請求項５に記載のリベット締結装置。
【考案の詳細な説明】
【技術分野】
【０００１】
本考案は、板金組み立て作業等の複数枚の板材を締結するために使用する場合等で、充電式リベット締結装置に関するものであって、特に、衝撃経路が長いリベット締結装置に関するものである。
【背景技術】
【０００２】
従来の充電式リベット締結装置は、電動モーターにより、出力軸を作動させて、伝動ギアを帯動し、旋転を生じさせ、滑動素子は、一端がリベットを打つマンドレルと固接され、且つ、突出した当接ブロックを有し、伝動ギアが旋転する際、伝動ギア一側面に突出した凸ブロックは、当接ブロックと接触して、滑動素子をノズルと反対方向に推動する。退移した滑動素子は、後方に位置する弾性素子に対し圧力を加え、伝動ギアの回転で位置が変わった凸ブロックは当接ブロックを離れ、モーターが回転を停止する時、弾性素子は力を解放して、滑動素子をノズルの方向に快速に移動させて、リベット締結の動作を完成する。
【０００３】
前述のような構造は、リベット締結動作を完成することができるが、滑動素子が退移できる最大経路は、伝動ギア上の凸部ロックが区画するアーチ型の僅かな距離だけであり、よって、滑動素子のリベット締結経路に限りがある。このため、あるリベット締結構造は、伝動ギアの直径を増加させて、凸ブロックの区域を加大しているが、このような構造は、リベット締結装置の体積を増大し、使用が不便になるという欠点がある。
【特許文献１】特開２００２−３１６２３３
【考案の開示】
【考案が解決しようとする課題】
【０００４】
本考案は、二段経路を累加する方式で、長い衝撃経路を獲得し、好ましいリベット撃ちの衝撃を達成するリベット締結装置を提供することを目的とする。
本考案は、簡単な構造で、体積を増大させないリベット締結装置を提供することをもう一つの目的とする。
【課題を解決するための手段】
【０００５】
上述の目的を達成するため、本考案のリベット締結装置は、内部に空間と作動槽を有する本体と、本体の外部に接設されるステープルボックスと、ステープルボックス前端に連結され、作動槽外側に対応し、マンドレル槽を有するノズルと、本体の空間中に設置され、回転可能な出力軸を有するモーターと、出力軸上に連結され、第一帯動部を形成しているメインギアと、メインギアと噛合し、第二帯動部を形成しているサブギアと、マンドレル、滑動素子、弾性素子、からなるリベット締結ユニットと、からなる。前記マンドレルは、ノズルのマンドレル槽と作動槽間で移動し、前記滑動素子前端はマンドレルの一端と連接し、前記滑動素子が第一位置、第二位置、第三位置間で往復移動し、また、前記滑動素子は第一帯動部と接触する第一抵接部、第二帯動部と接触する第二抵接部を有し、弾性素子は推力を提供して滑動素子後端に作用させ、滑動素子をノズルの方向に移動させる。上述のような構造により、回転するメインギアは、第一位置に位置する滑動素子を第二位置に推動し、更に、回転するサブギアにより、第二位置に位置する滑動素子を第三位置に推動し、且つ、滑動素子が第三位置に達する時、弾性素子は滑動素子をノズルの方向に推動させる。
【０００６】
すなわち、前記課題を解決するために、請求項１の考案は、リベット締結装置であって、内部に空間と作動槽を有する本体と、本体の外部に接設されるステープルボックスと、前記ステープルボックス前端に連結され、前記作動槽外側に対応し、マンドレル槽を有するノズルと、前記本体の空間中に設置され、回転可能な出力軸を有する伝動機構と、前記出力軸上に連結され、第一帯動部を形成しているメインギアと、前記メインギアと噛合し、第二帯動部を形成しているサブギアと、マンドレル、滑動素子、弾性素子、からなるリベット締結ユニットとからなり、前記マンドレルは、前記ノズルの前記マンドレル槽と前記作動槽間で移動し、前記滑動素子前端は前記マンドレル一端と連接し、且つ、前記滑動素子は第一位置、第二位置、第三位置間で往復移動し、また、前記滑動素子は前記第一帯動部と接触する第一抵接部、前記第二帯動部と接触する第二抵接部を有し、前記弾性素子は推力を提供して前記滑動素子後端に作用させ、前記滑動素子を前記ノズルの方向に移動させ、
上述のような構造により、回転する前記メインギアは、前記第一位置に位置する前記滑動素子を前記第二位置に推動し、更に、回転する前記サブギアにより、前記第二位置に位置する前記滑動素子を前記第三位置に推動し、且つ、前記滑動素子が前記第三位置に達する時、前記弾性素子は前記滑動素子をノズルの方向に移動させることを特徴とするリベット締結装置である。
請求項２の考案は、更に、前記本体内部に設置され、前記作動槽の前記ノズルに近接するところに位置するバッファブロックを有することを特徴とする請求項１に記載のリベット締結装置である。
請求項３の考案は、前記メインギアと前記サブギア正面は、凸棒を有して、それぞれ、前記第一帯動部と前記第二帯動部を形成し、前記滑動素子はブロック状で、且つ、側面の上下位置にそれぞれ、上抵ブロックと下抵ブロックを突出して、前記第一抵部と前記第二抵部を形成していることを特徴とする請求項２に記載のリベット締結装置である。
請求項４の考案は、前記本体内のケースに、前記作動槽の軸方向に沿って凹溝が設置され、前記滑動素子の頂、底面に、それぞれ、前記凹溝に対応する長方形ブロックを有して、前記滑動素子を直線方向にだけ移動させることを特徴とする請求項３に記載のリベット締結装置である。
請求項５の考案は、前記伝動機構はモーターで、前記出力軸前端は、前記作動槽に延伸して、前記メインギアと接設されることを特徴とする請求項４に記載のリベット締結装置である。
請求項６の考案は、前記弾性素子はバネで、前記バネの一端は、前記滑動素子後端に作用し、もう一端は前記本体上に作用することを特徴とする請求項５に記載のリベット締結装置である。
【考案の効果】
【０００７】
本考案によれば、長い衝撃経路を獲得し、好ましいリベット締結の衝撃を獲得し、更に、簡単な構造で、体積を増大させることなく、小型であるというメリットがある。
【考案を実施するための最良の形態】
【０００８】
図１、図２を参照すると、本考案の好ましい実施例によるリベットガン１００は、二つの半ケース１１が対合する形式で、連通する空間１２と作動槽１３を有し、作動槽１３の軸方向に沿って凹溝１４が設置され、通孔１５１を有する固定板１５が作動槽１３中に放置される本体１０と、本体１０の外部に接設されるステープルボックス１６と、ステープルボックス１６前端に連結され、作動槽１３外側に対応し、マンドレル槽１７１を有するノズル１７と、本体１０内部に設置され、作動槽１３のノズル１７に近接するところに位置するバッファブロック１８と、本体１０の空間１２中に設置され、回転可能で、且つ、非円形断面を呈する出力軸２１を有し、出力軸２１前端は、固定板１５の通孔１５１を通過し、作動槽１３方向に伸出するモーター２０と、出力軸２１の突出した一端に連結され、出力軸２１の回転により旋転を生じ、且つ、正面付近の円周に、凸棒３１を有して第一帯動部を形成しているメインギア３０と、固定板１５に結合され、メインギア３０と噛合し、且つ、正面付近の円周に、凸棒４１を有して第二帯動部を形成しているサブギア４０と、マンドレル５１、滑動素子５２、弾性素子５３、からなるリベット締結ユニット５０と、からなる。
【０００９】
前記マンドレル５１は、ノズル１７のマンドレル槽１７１と作動槽１３間で移動し、更に、一端に接孔５１１を有する。
【００１０】
前記滑動素子５２は、ブロック状で、且つ、頂、底面に、それぞれ、本体１０の凹溝１４中に対応する長方形ブロック５２１を有して、滑動素子５２は、作動槽１３中において、直線方向にだけ移動するようになっている。また、滑動素子５２前端は、栓５２２を有して、マンドレル５１の接孔５１１と連接し、滑動素子５２後端は、凹槽５２３を設け、また、滑動素子は、固定板１５の一側面の上下位置に、それぞれ、上抵ブロック５２４と下抵ブロック５２５からなる第一抵部と第二抵部を突出している。注意すべきことは、滑動素子５２は、上抵ブロック５２４と下抵ブロック５２５間で、高度差Hを形成していることである。
【００１１】
前記弾性素子５３一端は、前記滑動素子５２後端の凹槽５２３上に抵接して、スプリング５３のもう一端はスリーブ５４中に伸入すると共に、本体１０の作動槽１３の末端の壁面に、間接的に作用する。
【００１２】
上述のようなリベットガン１００の各構成素子、及び、その関連位置の説明は以下の通りである。
【００１３】
図２、図３は、滑動素子５２が第一位置P１に位置する状態を示す図で、この時、メインギア３０の凸棒３１と滑動素子５２の上抵ブロック５２４が接触し、弾性素子５３は伸張する。
【００１４】
モーター２０は継続して作動し、メインギア３０とサブギア４０が共に回転する時、凸棒３１は、上抵ブロック５２４を抵推し、滑動素子５２は第一位置P１から第二位置P２まで移動し、図４、図５で示されるように、滑動素子５２が第二位置P２に達する時、マンドレル５１は、バッファブロック１８に相対して退移し、サブギア４０の凸棒４１は、適時に、下抵ブロック５２５と接触し、各ギアの回転に伴って、凸棒３１は、上抵ブロック５２４に相対して脱離し、凸棒４１は、継続して、滑動素子５２を第二位置P２から第三位置P３まで移動し、図６、図７で示されるように、この時の滑動素子５２は、メインギア３０とサブギア４０の各凸棒３１、４１の連合伝動作用の下、ノズル１７から離れると共に、長い衝撃経路を獲得し、同時に、弾性素子５３は滑動素子５２に従い、後に退移して、圧縮され、弾力の反作用を累積する。
【００１５】
図８、図９で示されるように、メインギア３０とサブギア４０が共に回転する時、滑動素子５２は、第三位置P３を経過し、凸棒４１は下抵ブロック５２５と接触しない。且つ、凸棒４１は高度差Hの範囲内に位置し、弾性素子５３は累積していた反作用力を解放して、滑動素子５２に推力を提供し、滑動素子５２はマンドレル５１と共に、ノズル１７の方に、快速に移動し、滑動素子５２前端がバッファブロック１８に接触する時、リベット締結を完成する。
【００１６】
上述の説明で分かるように、本考案のリベットガン１００は、メインギア３０とサブギア４０の連合伝動により、二段経路の距離を獲得し、効果的に衝撃経路を増加して、好ましいリベット締結効果を達成する。更に、本考案の構造は簡単で、体積も増加せず、操作が容易である。
【図面の簡単な説明】
【００１７】
【図１】本考案の好ましい実施例の分解立体図である。
【図２】本考案の好ましい実施例による、滑動素子が第一位置にある時の組み立て図である。
【図３】図２の簡易図で、駆動用ギアと滑動素子の位置関係を示す図である。
【図４】本考案の好ましい実施例による、滑動素子が第二位置にある時の組み立て図である。
【図５】図４に対応する簡易図である。
【図６】本考案の好ましい実施例による、滑動素子が第三位置にある時の組み立て図である。
【図７】図６に対応する簡易図である。
【図８】滑動素子のノズル方向の移動を説明する図である。
【図９】図８に対応する簡易図である。
【符号の説明】
【００１８】
１００…リベットガン
１０…本体        
１１…ケース      
１２…空間
１３…作動槽
１４…凹溝
１５…固定板
１５１…通孔
１６…ステープルボックス
１７…ノズル
１７１…マンドレル槽
１８…バッファブロック
２０…モーター
２１…出力軸
３０…メインギア
３１…凸棒
４０…サブギア
４１…凸棒
５０…リベット締結ユニット
５１…マンドレル
５１１…接孔
５２…滑動素子
５２２…栓
５２３…凹槽
５２４…上抵ブロック
５２５…下抵ブロック
５３…弾性素子
５４…スリーブ
H…高度差
P１…第一位置
P２…第二位置
P３…第三位置
【図１】
0003106805.tif 000002
【図２】
0003106805.tif 000003
【図３】
0003106805.tif 000004
【図４】
0003106805.tif 000005
【図５】
0003106805.tif 000006
【図６】
0003106805.tif 000007
【図７】
0003106805.tif 000008
【図８】
0003106805.tif 000009
【図９】
0003106805.tif 000010